(57)【要約】【課題】複数種類の携帯型機器を接続して使用することができるように構成するとともに、優先順位の高い携帯型機器に応じた再生制御手順で速やかに音楽ファイルの再生を行う。【解決手段】音楽ファイルを記憶する記憶媒体を有する複数種類の携帯型機器１０と接続され、音楽ファイルの再生制御を行う車載機器２０を携帯型機器１０が接続される接続部２１と、接続部２１に携帯型機器１０が接続された場合、優先順位の最も高い再生制御手順に従って音楽ファイルの再生制御を行う優先再生制御部２６を備える構成とする。【選択図】図２
2008245042.tif 000002
【特許請求の範囲】
【請求項１】
音楽ファイルを記憶する記憶媒体を有する複数種類の携帯型機器と接続され、前記音楽ファイルの再生制御を行う車載機器であって、
前記携帯型機器が接続される接続部と、
前記接続部に前記携帯型機器が接続された場合、優先順位の最も高い再生制御手順に従って前記音楽ファイルの再生制御を行う優先再生制御部と、
を備えたことを特徴とする車載機器。
【請求項２】
請求項１記載の車載機器において、
前記複数種類の携帯型機器毎に各携帯型機器に応じた前記音楽ファイルの再生制御手順を記憶する再生制御手順記憶部と、
前記複数種類の携帯型機器のうち、優先順位の最も高い携帯型機器を記憶する優先順位記憶部と、
を備え、
前記優先再生制御部は、前記優先順位記憶部に記憶された優先順位の最も高い携帯型機器に応じた再生制御手順を前記優先順位の最も高い再生制御手順とすること、
を特徴とする車載機器。
【請求項３】
請求項２記載の車載機器において、
前記優先順位記憶部には、前記接続部に前回接続された携帯型機器が前記優先順位の最も高い携帯型機器として記憶されること、
を特徴とする車載機器。
【請求項４】
請求項２記載の車載機器において、
前記優先順位記憶部には、過去に前記接続部に接続された頻度の高い携帯型機器が前記優先順位の最も高い携帯型機器として記憶されること、
を特徴とする車載機器。
【請求項５】
請求項１〜４のいずれか一項に記載の車載機器において、
前記優先順位の最も高い再生制御手順に従って、前記音楽ファイルの再生ができるか否かを判別する再生判別部と、
前記接続部に接続された携帯型機器の種類を識別する携帯型機器識別部と、
前記優先再生制御部により前記音楽ファイルの再生ができないと判別された場合、前記携帯型機器識別部により、前記携帯型機器の種類を識別させ、前記再生制御手順記憶部に記憶された当該携帯型機器に応じた再生制御手順に従って、前記音楽ファイルの再生制御を行う通常再生制御部と、
を備えたことを特徴とする車載機器。
【請求項６】
音楽ファイルを記憶する記憶媒体を有する複数種類の携帯型機器と接続される接続部を備え、前記音楽ファイルの再生制御を行う車載機器を制御するための車載機器の制御方法であって、
前記接続部に前記携帯型機器が接続された場合、優先順位の最も高い再生制御手順に従って前記音楽ファイルの再生制御を行う過程を備えたこと、
を特徴とする車載機器の制御方法。
【請求項７】
音楽ファイルを記憶する記憶媒体を有する複数種類の携帯型機器と接続される接続部を備え、前記音楽ファイルの再生制御を行う車載機器をコンピュータを用いて制御するための制御プログラムであって、
前記接続部に前記携帯型機器が接続された場合、優先順位の最も高い再生制御手順に従って前記音楽ファイルの再生制御を行わせること、
を特徴とする制御プログラム。
【発明の詳細な説明】
【技術分野】
【０００１】
本発明は、車載機器、車載機器の制御方法および制御プログラムに関し、特に音楽ファイルを記憶する記憶媒体を有する複数種類の携帯型機器と接続され、当該記憶媒体に記憶された音楽ファイルに基づく音響出力が可能に構成された車載機器、車載機器の制御方法および制御プログラムに関する。
【背景技術】
【０００２】
従来から、ハードディスク装置等の記憶装置を備え、ハードディスク装置等に記録された音楽ファイル等を再生して音響出力を行うようにした車載機器が知られている。また、この種の車載機器において、ＵＳＢ（Universal Serial Bus）接続型のフラッシュメモリ（以下、「ＵＳＢメモリ」という。）を外部記憶装置として接続可能に構成し、ＵＳＢメモリに記録された音楽ファイルを再生して音響出力を行うようにしたものがある。
さらに、車載機器とＵＳＢ接続型の携帯型音楽再生装置とを接続可能に構成し、車載機器の制御下で、携帯型音楽再生装置に音楽ファイルの再生を行わせ、再生された音楽ファイルに基づいて車内に音響出力を行うように構成されたものも知られている（例えば、特許文献１参照）。
【特許文献１】特開２００６−２８７３７９号公報
【発明の開示】
【発明が解決しようとする課題】
【０００３】
ところで、車載機器の汎用性や利便性を向上するためには、車載機器にはＵＳＢメモリや携帯型音楽再生装置等、複数の種類の携帯型機器を接続して使用可能に構成することが好ましい。この場合、車載機器側では接続される携帯型機器の種類を認識するためのデバイス認識処理を行い、接続された携帯型機器に対応する音楽ファイル再生制御用プログラムを起動して、当該プログラムに従った所定の再生制御手順で音楽ファイルの再生を行うように構成することが考えられる。この様に構成することで、ユーザがどの種類の携帯型機器を有していても、車載機器にユーザの所有する携帯型機器を接続して使用することができる。
しかしながら、車載機器に接続される可能性が最も高い携帯型機器はユーザの所有する携帯型機器であるにも関わらず、車載機器に携帯型機器が接続される都度、デバイス認識処理を行うのは無駄な作業となる。また、携帯型機器が接続される都度、デバイス認識処理を行ったのでは、特定の種類の携帯型機器のみを接続可能に構成した車載機器に対して、音楽ファイルの再生を開始するまでの時間を要するという課題が生じる。
本発明の課題は、複数種類の携帯型機器を接続して使用することができるとともに、優先順位の高い携帯型機器に応じた再生制御手順で速やかに音楽ファイルの再生を行うことのできる車載機器、車載機器の制御方法および制御プログラムを提供することにある。
【課題を解決するための手段】
【０００４】
上記課題を解決するため、本発明の車載機器は、音楽ファイルを記憶する記憶媒体を有する複数種類の携帯型機器と接続され、前記音楽ファイルの再生制御を行う車載機器であって、前記携帯型機器が接続される接続部と、前記接続部に前記携帯型機器が接続された場合、優先順位の最も高い再生制御手順に従って前記音楽ファイルの再生制御を行う優先再生制御部と、を備えたことを特徴とする。
上記構成によれば、複数種類の携帯型機器と接続して、携帯型機器の記憶媒体に記憶された音楽ファイルの再生制御を行う際に、優先順位の最も高い再生制御手順に従って音楽ファイルの再生制御を行う優先再生制御部を備えたので、例えば、ユーザの有する携帯型機器等に応じた再生制御手順を優先順位の最も高い再生制御手順とすれば、接続部に優先順位の最も高い携帯型機器が接続された際に、速やかに音楽ファイルの再生を行うことができる。
【０００５】
また、上記構成において、前記複数種類の携帯型機器毎に各携帯型機器に応じた前記音楽ファイルの再生制御手順を記憶する再生制御手順記憶部と、前記複数種類の携帯型機器のうち、優先順位の最も高い携帯型機器を記憶する優先順位記憶部と、を備え、前記優先再生制御部は、前記優先順位記憶部に記憶された優先順位の最も高い携帯型機器に応じた再生制御手順を前記優先順位の最も高い再生制御手順とすること、が好ましい。
上記構成によれば、再生制御手順記憶部には、複数種類の携帯型機器毎に各携帯型機器に応じた音楽ファイルの再生制御手順が記憶されているので、車載機器は接続された携帯型機器に応じた再生制御手順で音楽ファイルの再生制御を行うことができる。また、優先順位記憶部には複数種類の携帯型機器のうち、優先順位の最も高い携帯型機器を記憶するので、優先順位記憶部にユーザの有する携帯型機器を優先順位の最も高い携帯型機器として記憶させておけば、接続部を介して車載機器に携帯型機器が接続された場合、優先再生制御部により直ちに優先順位の最も高い携帯型機器に応じた再生制御手順で速やかに音楽ファイルの再生制御を行わせることができる。
【０００６】
上記構成において、前記優先順位記憶部には、前記接続部に前回接続された携帯型機器が前記優先順位の最も高い携帯型機器として記憶されることが好ましい。
あるいは、前記優先順位記憶部には、過去に前記接続部に接続された頻度の高い携帯型機器が前記優先順位の最も高い携帯型機器として記憶されるように構成してもよい。
上記構成によれば、前回接続された携帯型機器あるいは過去に接続部に接続された頻度の高い携帯型機器を優先順位の最も高い携帯型機器として優先順位記憶部に記憶されるので、使われる頻度の高い携帯型機器に応じた再生制御手順で速やかに音楽ファイルの再生制御を行うことができる。
【０００７】
また、上記構成において、前記優先順位の最も高い再生制御手順に従って、前記音楽ファイルの再生ができるか否かを判別する再生判別部と、前記接続部に接続された携帯型機器の種類を識別する携帯型機器識別部と、前記優先再生制御部により前記音楽ファイルの再生ができないと判別された場合、前記携帯型機器識別部により、前記携帯型機器の種類を識別させ、前記再生制御手順記憶部に記憶された当該携帯型機器に応じた再生制御手順に従って、前記音楽ファイルの再生制御を行う通常再生制御部とを備えることが好ましい。
この構成によれば、車載機器に優先順位の最も高い携帯型機器とは異なる種類の携帯型機器が接続部を介して接続された場合、通常制御部は、接続部に接続された携帯型機器の種類が識別され、当該携帯型機器に応じた再生制御手順で音楽ファイルの再生制御を行うので、ユーザが普段接続しない携帯型機器が車載機器に接続された場合にも、音楽ファイルの再生制御を行うことができる。
【０００８】
また、本発明の車載機器の制御方法は、音楽ファイルを記憶する記憶媒体を有する複数種類の携帯型機器と接続される接続部を備え、前記音楽ファイルの再生制御を行う車載機器を制御するための車載機器の制御方法であって、前記接続部に前記携帯型機器が接続された場合、優先順位の最も高い再生制御手順に従って前記音楽ファイルの再生制御を行う過程を備えたことを特徴とする。
【０００９】
また、本発明の制御プログラムは、音楽ファイルを記憶する記憶媒体を有する複数種類の携帯型機器と接続される接続部を備え、前記音楽ファイルの再生制御を行う車載機器をコンピュータを用いて制御するための制御プログラムであって、前記接続部に前記携帯型機器が接続された場合、優先順位の最も高い再生制御手順に従って前記音楽ファイルの再生制御を行わせることを特徴とする。
【発明の効果】
【００１０】
本発明によれば、複数種類の携帯型機器を接続して使用することができ、優先順位の高い携帯型機器に応じた再生制御手順で速やかに音楽ファイルの再生を行うことができる。
【発明を実施するための最良の形態】
【００１１】
以下、図面を参照して、本発明の実施の形態を説明する。
図１に本実施の形態の車載機器２０の機能的構成を示す。図１に示す車載機器２０は、音楽ファイルを記憶する記憶媒体を有する複数種類のＵＳＢ機器１０を接続して使用することができ、ＵＳＢ機器１０に記憶された音楽ファイル、あるいは、ＵＳＢ機器１０において再生された音楽ファイルに基づいて、車内（図示略）に設置されたスピーカ３０から音響信号を出力可能に構成したものである。
【００１２】
本実施の形態では、車載機器２０に接続可能なＵＳＢ機器（携帯型機器）１０として、ＵＳＢメモリ１１、２種類の携帯型音楽再生装置１２、１３を例に挙げて説明する。これらのＵＳＢ機器１０はいずれもＵＳＢ接続端子１１ａ、１２ａ、１３ａを介して車載機器２０に物理的および電気的に接続される。
ＵＳＢメモリ１１は、ＵＳＢ接続端子１１ａを有するフラッシュメモリの他、ＵＳＢ規格において定義されるマスストレージクラスに準拠したデバイスであればどのようなデバイスであってもよい。但し、ＵＳＢメモリ１１には、音楽ファイルが記憶されているものとして以下説明する。また、音楽ファイルはＭＰ３、ＷＭＡ、ＡＡＣ，ＡＴＲＡＣ、ＯＧＧなどの所定の圧縮形式により圧縮されて記憶されているものとする。
【００１３】
一方、携帯型音楽再生装置１２、１３はそれぞれＵＳＢ接続端子１２ａ、１３ａを備え、図示しない音楽ファイルを記録する記録媒体、音楽ファイルを再生する再生部等を有している。音楽ファイルはＭＰ３、ＷＭＡ、ＡＡＣ，ＡＴＲＡＣ、ＯＧＧなどの所定の圧縮形式により圧縮されて記録媒体に記録されており、車載機器２０の制御の下、指定された音楽ファイルを再生して車載機器２０に再生された音楽ファイルを転送するように構成されている。また、携帯型音楽再生装置１２、１３の記録媒体に記録されたこれらの音楽ファイルは、デジタル著作権管理（ＤＲＭ：Digital Rights Management）技術により、所定の暗号化処理等が施された上で、車載機器２０に転送される。各携帯型音楽再生装置１２、１３ではそれぞれ異なるＤＲＭ技術を採用している。例えば、一方の携帯型音楽再生装置１２はＡ方式のＤＲＭ技術が採用されており、他方の携帯型音楽再生装置１３はＢ方式のＤＲＭ技術が採用されており、ホスト機器としての車載機器２０には各携帯型音楽再生装置１２、１３のＤＲＭ技術に対応する所定の音楽ファイル再生制御用プログラム（ソフト）を用いなければ、携帯型音楽再生装置１２、１３の再生制御を行うことができないようになっている。
【００１４】
一方、車載機器２０は、ＵＳＢ機器１０を接続するためのＵＳＢ接続部（接続部）２１と、ＵＳＢ接続部２１を介してＵＳＢ機器１０（主としてＵＳＢメモリ１１）から転送された圧縮された音楽ファイルの伸張処理等を行う音楽再生部２２と、音楽再生部２２において再生されたデジタル信号としての音響信号に対して音質調整処理、音量調整処理等の各種処理を施すオーディオＤＳＰ２３と、オーディオＤＳＰにおいて各種処理が施されたデジタル信号としての音響信号をアナログ信号に変換するＤ／Ａコンバータ２４ａおよびアナログ信号としての音響信号を増幅してスピーカ３０に出力するアンプ２４ｂとを有する音声出力部２４とを備えている。
【００１５】
上記のＵＳＢ接続部２１は、更に、ＵＳＢ機器１０が有するＵＳＢ接続端子１１ａ、１２ａ、１３ａを物理的に接続するためのＵＳＢコネクタ２１ａと、ＵＳＢ規格において定義されるＵＳＢの物理層、論理層の制御を行う制御ＬＳＩ（Large Scale Integration）であるＵＳＢコントローラ２１ｂとを備えている。
また、上記の音楽再生部２２は、圧縮された音楽ファイルの伸張処理等を行うデコーダ２２ａと、デコーダ２２ａが伸張処理等を実行するために用いる動作用メモリであるＤＲＡＭ２２ｂとを備えている。
【００１６】
車載機器２０は、上述の構成に加えて、更に、操作内容や各種情報を表示するとともにユーザからの操作入力を受け付ける操作表示部２５と、当該車載機器２０の各部を制御する制御部（優先再生制御部、通常再生制御部）２６とを備えている。
操作表示部２５は、車載機器２０から出力される各種データに従って、操作内容や各種情報を表示するディスプレイ装置２５ａと、ユーザにより押下操作される操作キー２５ｂおよびディスプレイ装置２５ａに設けられるタッチパネル等の操作手段と、ディスプレイ装置２５ａの表示制御や上記操作手段を介して入力される操作信号を制御部２６に出力する表示／操作キー制御部２５ｃとを備えている。
【００１７】
制御部２６は、図示しないＣＰＵ、ＲＡＭ、ＲＯＭ等を備え、制御部２６において、ＣＰＵはＲＯＭ等に記憶された各種制御プログラムに従ってＲＡＭの一部を作業領域として各種演算を行うことにより、これらの協働の下、各種処理を実行するものである。制御部２６は、ＲＯＭ等に記憶された各種制御プログラムに従った処理を実行することにより、車載機器２０の各部を制御する。制御部２６のＲＯＭ等にはＵＳＢメモリ１１または、図示しないハードディスク装置等に記憶された音楽ファイルを音楽再生部２２等を制御して再生する際に用いる音楽ファイル再生制御用プログラムの他、各携帯型音楽再生装置１２、１３に対して音楽ファイルの再生や再生された音楽ファイルの転送等を制御するために用いる音楽ファイル再生制御用プログラムが記憶されている。制御部２６は、ＵＳＢ接続部２１を介して接続されたＵＳＢ機器１０に応じた音楽ファイル再生制御用プログラムに従って、ＵＳＢ機器１０に記憶された音楽ファイルを所定の再生制御手順で再生させ、スピーカ３０から音響出力されるように制御する。
【００１８】
ここで、車載機器２０はＵＳＢ規格に準拠しており、ＵＳＢ機器１０が接続された場合にホスト機器として動作する。このため、制御部２６では、ＵＳＢ機器１０が接続されたことを検出すると、デバイスディスクリプタ情報と呼ばれるＵＳＢ機器１０の種類（ＵＳＢ機器１０のベンダＩＤ、プロダクトＩＤ等）等を表す情報をＵＳＢ機器１０から取得してＵＳＢ機器１０のデバイス認識処理を行い、接続されたＵＳＢ機器１０に対応する音楽ファイル再生制御用プログラムを起動するように設計されている。
【００１９】
しかしながら、車載機器２０に接続されるＵＳＢ機器１０は、ＵＳＢメモリ１１、Ａ方式の携帯型音楽再生装置１２、Ｂ方式の携帯型音楽再生装置１３等であり、車載機器２０ではＵＳＢ機器１０が接続されるまでそれがどのＵＳＢ機器１０であることを識別することはできないが、車載機器２０に接続されるＵＳＢ機器１０はユーザの有する特定の種類のＵＳＢ機器１０である場合が多い。そこで、本実施の形態の車載機器２０では、制御部２６のＲＯＭには、ＲＯＭ等に記憶された優先順位の最も高いＵＳＢ機器１０に対応する音楽ファイル再生制御用プログラムを直ちに起動して、速やかに音楽ファイルを再生させる優先再生制御動作を行うように構成されている。
但し、優先順位の最も高いＵＳＢ機器１０は優先順位記憶部としてのＲＡＭ等に記憶されている。また、制御部２６は、ＵＳＢ機器１０の過去の所定回数分の接続履歴をＲＡＭ等に記憶させており、過去にＵＳＢ接続部２１に接続された回数（頻度）の高いＵＳＢ機器１０が優先順位の最も高いＵＳＢ機器１０として自動的に記憶されるようになっている。
【００２０】
以下、図２を参照して、制御部２６の制御の下で実行される、優先再生制御処理について説明する。但し、図２において、優先順位の最も高いＵＳＢ機器１０として、ＵＳＢメモリ１１が制御部２６のＲＡＭ等に記憶されているものとして説明する。
制御部２６は、ＵＳＢ接続部２１にＵＳＢ機器１０が接続されたことを検出すると（ステップＳ１：Ｙ）、直ちにＵＳＢメモリ１１から音楽ファイルを再生するための音楽ファイル再生制御用プログラムを起動して、ＵＳＢメモリ１１に記憶された音楽ファイルの再生を音楽再生部２２に行わせるように制御する（ステップＳ２）。
ここで、所定の時間内にＵＳＢ接続部２１に接続されたＵＳＢ機器１０に記憶された音楽ファイルの再生ができたか否かを判別する（ステップＳ３）。そして、ＵＳＢ機器１０に記憶された音楽ファイルを再生することができると判別された場合（ステップＳ３：Ｙ）、ＵＳＢ機器１０の接続が解除されるまで、ＵＳＢメモリ１１に対応する音楽ファイル再生制御用プログラムに従ってＵＳＢメモリ１１に記憶された音楽ファイルの再生制御処理を継続する。但し、図２には図示を省略したが、ステップＳ３において、一度、ＵＳＢメモリ１１に記憶された音楽ファイルを再生することができたと判別された場合は、次回よりステップＳ３はスキップされる。
【００２１】
一方、所定の時間内にＵＳＢ機器１０に記憶された音楽ファイルを再生ができなかったと判別された場合（ステップＳ３：Ｎ）、ＵＳＢ機器１０とのデバイス認識処理を行うべく、ＵＳＢ機器１０に対してデバイスディスクリプタ情報の送信を要求する（ステップＳ５）。次いで、ＵＳＢ機器１０から返送されるデバイスディスクリプタ情報に基づいて、ＵＳＢ機器１０の種類を識別する（ステップＳ６）。識別の結果、ＵＳＢ接続部２１に接続されたＵＳＢ機器１０がＡ方式のＤＲＭ技術を採用する携帯型音楽再生装置１２であると判別された場合（ステップＳ６：Ａ方式）、制御部２６は、当該携帯型音楽再生装置１２に応じた音楽ファイル再生制御用プログラムを起動して、Ａ方式のＤＲＭ技術に対応する所定の再生制御手順に従って携帯型音楽再生装置１２の図示せぬ記憶媒体に記憶された音楽ファイルの再生制御を行う（ステップＳ７）。そして、携帯型音楽再生装置１２の接続が解除されるまで（ステップＳ８：Ｙ）、携帯型音楽再生装置１２に応じた音楽ファイル再生用制御プログラムに従って音楽ファイルの再生制御処理を行う。
【００２２】
一方、ステップＳ６においてＵＳＢ接続部２１に接続されたＵＳＢ機器１０がＢ方式のＤＲＭ技術を採用する携帯型音楽再生装置１３であると判別された場合（ステップＳ６：Ｂ方式）、制御部２６は、当該携帯型音楽再生装置１３に応じた音楽ファイル再生制御用プログラムを起動して、Ｂ方式のＤＲＭ技術に対応する所定の再生制御手順に従って携帯型音楽再生装置１３の図示せぬ記憶媒体に記憶された音楽ファイルの再生制御を行う（ステップＳ９）。そして、携帯型音楽再生装置１３の接続が解除されるまで（ステップＳ１０：Ｙ）、携帯型音楽再生装置１３に応じた音楽ファイル再生用制御プログラムに従って音楽ファイルの再生制御処理を行う。
【００２３】
以上説明した本実施の形態によれば、複数種類（図示例では３種類）のＵＳＢ機器１０と接続して、ＵＳＢ機器１０の図示しない記憶媒体に記憶された音楽ファイルの再生制御を行う際に、優先再生制御部としての制御部２６は、ＵＳＢ機器１０がＵＳＢ接続部２１に接続された場合には、優先順位の最も高いＵＳＢ機器１０に応じた音楽再生制御用プログラムを起動して、優先順位の最も高いＵＳＢ機器１０に応じた再生制御手順に従って、音楽ファイルの再生制御を行うので、優先順位の最も高いＵＳＢ機器１０をＵＳＢ接続部２１に接続した場合には、当該ＵＳＢ機器１０に応じた再生制御手順で速やかに音楽ファイルの再生制御を行うことができる。
【００２４】
また、上記実施の形態によれば、制御部２６のＲＯＭ等には、複数種類のＵＳＢ機器１０毎に各ＵＳＢ機器１０（１１、１２、１３）に応じた音楽ファイル再生制御用プログラムが記憶されているので、車載機器２０は接続されたＵＳＢ機器１０に応じた再生制御手順で音楽ファイルの再生制御を行うことができる。また、制御部２６のＲＡＭ等には複数種類のＵＳＢ機器１０のうち、優先順位の最も高いＵＳＢ機器１０（上記実施形態ではＵＳＢメモリ１１）を記憶するので、ＵＳＢ接続部２１を介して車載機器２０にＵＳＢ機器１０が接続された場合、デバイスディスクリプタ情報の送信要求等を行うことなく、直ちに優先順位の最も高いＵＳＢ機器１０に応じた再生制御手順で速やかに音楽ファイルの再生制御を行わせることができる。
【００２５】
また、上記実施形態によれば、制御部２６のＲＡＭ等に過去にＵＳＢ接続部２１に接続された頻度の高いＵＳＢ機器１０を優先順位の最も高いＵＳＢ機器１０として自動的に記憶されるので、ユーザは優先順位の最も高いＵＳＢ機器１０をＲＡＭ等に記憶させるための登録操作等を行う必要がなく、利便性が高い。
また、上記実施形態によれば、車載機器２０に優先順位の最も高いＵＳＢ機器１０（ＵＳＢメモリ１１）とは異なる種類のＵＳＢ機器１０（携帯型音楽再生装置１２、携帯型音楽再生装置１３）がＵＳＢ接続部２１を介して接続された場合、制御部２６は、ＵＳＢ接続部２１に接続された携帯型音楽再生装置１２、１３の種類が識別され（ステップＳ５、６）、当該携帯型音楽再生装置１２、１３に応じた再生制御手順で音楽ファイルの再生制御を行うので、ユーザが普段接続しない携帯型音楽再生装置１２、１３が車載機器２０に接続された場合にも、音楽ファイルの再生制御を行うことができる。
また、ユーザが普段車載機器２０に接続して使用するＵＳＢ機器１０の種類が例えば、ＵＳＢメモリ１１からＡ方式のＤＲＭ技術を採用する携帯型音楽再生装置１２に変わった場合であっても、携帯型音楽再生装置１２の使用頻度が高くなれば、制御部２６のＲＡＭ等に記憶される優先順位の最も高いＵＳＢ機器１０が携帯型音楽再生装置１２に置き換わるので、ユーザの使用するＵＳＢ機器１０が変化した場合でも、ユーザの使用頻度の高いＵＳＢ機器１０を優先順位の最も高いＵＳＢ機器１０として、当該ＵＳＢ機器１０に応じた音楽再生制御用プログラムを起動して、音楽ファイルの速やかな再生制御処理を行うことができる。
【００２６】
以上説明した本発明の実施の形態は、本発明の一態様であり、本発明の趣旨を逸脱しない範囲において適宜変更可能であるのは勿論である。
例えば、上記実施の形態において、制御部２６のＲＡＭ等に過去の接続履歴に基づき、過去にＵＳＢ接続部２１に接続された回数の多いＵＳＢ機器１０が優先順位の最も高いＵＳＢ機器１０として記憶されるものとして説明したが、単に前回使用時にＵＳＢ接続部２１に接続されたＵＳＢ機器１０を優先順位の最も高いものとして記憶する構成としてもよい。
また、操作表示部２５における操作により、ユーザが適宜優先順位の最も高いＵＳＢ機器１０を入力（又は選択）して、ユーザ操作により優先順位の最も高いＵＳＢ機器１０を登録することができる構成としてもよい。
【００２７】
また、上記実施の形態では、優先順位の最も高いＵＳＢ機器１０としてＵＳＢメモリ１１を例に挙げて説明したが、優先順位の最も高いＵＳＢ機器１０はＵＳＢメモリ１１に限定されるものではないのは勿論であり、携帯型音楽再生装置１２又は携帯型音楽再生装置１３であってもよい。更に、車載機器２０に接続されるＵＳＢ機器１０の例として、ＵＳＢメモリ１１とＤＲＭ技術の異なる二種類の携帯型音楽再生装置１２、１３を例に挙げて説明したが、車載機器２０に接続されるＵＳＢ機器１０は３種類に限定されるものではなく、少なくとも二種類以上であれば何種類のＵＳＢ機器１０が接続されてもよい。
また、携帯型機器の例としてＵＳＢ接続端子１１ａ、１２ａ、１３ａを介して車載機器２０に接続されるＵＳＢ機器１０（ＵＳＢメモリ１１、携帯型音楽再生装置１２、１３）を例に挙げて説明したが、携帯型機器はＵＳＢ端子を介して車載機器２０に接続されるものに限定されず、例えば、Ｂｌｕｅｔｏｏｔｈ（登録商標）などの無線通信技術等を利用して車載機器２０に接続されるＢｌｕｅｔｏｏｔｈ技術対応の携帯型機器であってもよい。
【００２８】
また、上記実施の形態では、ＵＳＢ接続部２１にＵＳＢ機器１０が接続された場合は、直ちに優先順位の最も高い音楽ファイル再生制御用プログラムを起動するものとして説明したが、例えば、優先再生制御処理を行わせるか否かをユーザに設定させ、ユーザにより優先再生制御処理（優先再生制御モード）が設定されている場合に、当該処理を行わせるようにしてもよい。以下、図３を参照して、この場合の処理手順を説明する。但し、優先再生制御処理の設定は、上記の操作表示部２５により行うようにしてもよいし、例えば、操作キー２５ｂの一つとして設定ボタンを備えるようにしてもよい。また、図３においても、優先順位の最も高いＵＳＢ機器１０としてＵＳＢメモリ１１がＲＡＭ等に記憶されているものとする。
【００２９】
図３に示すように、この場合、制御部２６は、ＵＳＢ機器１０がＵＳＢ接続部２１に接続されたことを検出すると（ステップＳ１１：Ｙ）、優先再生制御モードが設定されているか否かを判別する（ステップＳ１２）。優先再生モードが設定されている場合（ステップＳ１２：Ｙ）、制御部２６は、直ちにＵＳＢメモリ１１から音楽ファイルを再生するための音楽ファイル再生制御用プログラムを起動して、ＵＳＢメモリ１１に記憶された音楽ファイルの再生を音楽再生部２２に行わせるように制御する（ステップＳ１３）。そして、ＵＳＢ接続部２１からＵＳＢメモリ１１の接続が解除されるまで（ステップＳ１４：Ｙ）、ＵＳＢメモリ１１に記憶された音楽ファイルの再生制御を行う。
【００３０】
一方、優先再生制御モードが設定されていないと判別した場合（ステップＳ１２：Ｎ）、次に、制御部２６は、ＵＳＢ機器１０とのデバイス認識処理を行うべく、ＵＳＢ機器１０に対してデバイスディスクリプタ情報の送信を要求する（ステップＳ１５）。ここで、一定時間以内にＵＳＢ機器１０から返送が無い場合（ステップＳ１６：Ｎ）には、強制的にＵＳＢメモリ１１が接続されたものとしてステップＳ１３に移行する。一方、一定時間以内にＵＳＢ機器１０からデバイスディスクリプタ情報の返送があった場合（ステップＳ１６：Ｙ）、デバイスディスクリプタ情報に基づいて、ＵＳＢ機器１０の種類を識別する（ステップＳ１７）。識別の結果、ＵＳＢ接続部２１に接続されたＵＳＢ機器１０がＵＳＢメモリ１１であると判別された場合（ステップＳ１７：ＵＳＢメモリ）は、上記ステップＳ１３へ移行する。
【００３１】
また、ステップＳ１７において、ＵＳＢ接続部２１に接続されたＵＳＢ機器１０がＡ方式のＤＲＭ技術を採用する携帯型音楽再生装置１２であると判別された場合（ステップＳ１７：Ａ方式）、制御部２６は、当該携帯型音楽再生装置１２に応じた音楽ファイル再生制御用プログラムを起動して、Ａ方式のＤＲＭ技術に対応する所定の再生制御手順に従って携帯型音楽再生装置１２の図示せぬ記憶媒体に記憶された音楽ファイルの再生制御を行う（ステップＳ１８）。そして、携帯型音楽再生装置１２の接続が解除されるまで（ステップＳ１９：Ｙ）、携帯型音楽再生装置１２に応じた音楽ファイル再生用制御プログラムに従って音楽ファイルの再生制御処理を行う。
【００３２】
一方、ステップＳ１７において、ＵＳＢ接続部２１に接続されたＵＳＢ機器１０がＢ方式のＤＲＭ技術を採用する携帯型音楽再生装置１３であると判別された場合（ステップＳ１７：Ｂ方式）、制御部２６は、当該携帯型音楽再生装置１３に応じた音楽ファイル再生制御用プログラムを起動して、Ｂ方式のＤＲＭ技術に対応する所定の再生制御手順に従って携帯型音楽再生装置１３の図示せぬ記憶媒体に記憶された音楽ファイルの再生制御を行う（ステップＳ２０）。そして、携帯型音楽再生装置１３の接続が解除されるまで（ステップＳ２１：Ｙ）、携帯型音楽再生装置１３に応じた音楽ファイル再生用制御プログラムに従って音楽ファイルの再生制御処理を行う。
【００３３】
なお、上記説明した場合において、優先再生制御モードが設定されていると判別された場合（ステップＳ１２：Ｙ）に、図２において示したように、所定時間内に接続されたＵＳＢ機器１０に記憶された音楽ファイルの再生ができたか否かを判別するステップを設けてもよい。そして、所定時間内に音楽ファイルの再生ができなかったと判別された場合には、ステップＳ１５に移行するようにしてもよい。
【図面の簡単な説明】
【００３４】
【図１】本実施の形態に係る車載機器の機能的構成を示す図である。
【図２】本実施の形態の動作を示すフローチャートである。
【図３】本実施の形態の他の動作を示すフローチャートである。
【符号の説明】
【００３５】
１０  ＵＳＢ機器
１１  ＵＳＢメモリ
１１    携帯型音楽再生装置
１１ａ  ＵＳＢ接続端子
１２、１３  携帯型音楽再生装置
１１ａ、１２ａ、１３ａ  ＵＳＢ接続端子
２０  車載機器
２１  ＵＳＢ接続部（接続部）
２２  音楽再生部
２２ａ  デコーダ
２２ｂ  ＤＲＡＭ
２３  オーディオＤＳＰ
２４  音声出力部
２４ａ  Ｄ／Ａコンバータ
２４ｂ  アンプ
２５  操作表示部
２６  制御部（優先再生制御部、通常再生制御部）
３０  スピーカ
【図１】
2008245042.tif 000003
【図２】
2008245042.tif 000004
【図３】
2008245042.tif 000005